(57)【要約】【課題】  既設の内装パネルを解体することなく、表面装飾材のみを容易に交換可能とした内装パネル構造及び内装パネルにおける表面装飾材の交換方法を提供すること。【解決手段】  壁，天井又は間仕切り等を構成する内装パネル構造において、パネル１０の少なくとも三辺における上部固定部材２０、下部固定部材３０及び接合部材５０に、パネル１０の辺部を覆う縁部材（見切り材６０，目地化粧材７０）を着脱可能に装着する。見切り材６０，目地化粧材７０を、上部固定部材２０及び接合部材５０から取り外した状態で、表装材４０のみを交換を可能にし、新規の表装材４０をパネル１０に貼着して交換した後、見切り材６０，目地化粧材７０を上部固定部材２０及び接合部材５０に装着して表装材４０の端部を外部から目隠しする。【選択図】    図２
2005036486.tif 000002
【特許請求の範囲】
【請求項１】
パネル本体の表面に表面装飾材を貼着してなる複数のパネルを、躯体に連結される互いに平行な一対の固定部材に取り付けると共に、接合部材を介して連接して、壁，天井又は間仕切り等を構成する内装パネル構造において、
上記パネルの少なくとも三辺における上記固定部材及び接合部材に、パネルの辺部を覆う縁部材を着脱可能に装着してなり、
上記縁部材を、上記固定部材及び接合部材から取り外した状態で、上記表面装飾材のみの交換を可能にし、表面装飾材を交換した後、縁部材を固定部材及び接合部材に装着して表面装飾材の端部を外部から目隠しする、ことを特徴とする内装パネル構造。
【請求項２】
請求項１記載の内装パネル構造において、
上記固定部材は、パネルの上端部を嵌挿保持するパネル取付溝と、外側方に向かって突出する１又は複数の係止受け片とを具備し、
上記縁部材は、パネルの外側面に接触又は近接する目隠し片を有する縁部材本体と、この縁部材本体に突設されて上記係止受け片に係脱可能に係合する１又は複数の係止片とを具備してなる、ことを特徴とする内装パネル構造。
【請求項３】
請求項１記載の内装パネル構造において、
上記接合部材は、パネルの接合端面に設けられた凹条内に嵌挿される一対の接合部と、両接合部間から外方へ隆起すると共に、外方に向かって開口する嵌合溝を有する嵌合部とを具備し、
上記縁部材は、上記接合部材の嵌合溝内に係脱可能に嵌挿される嵌合脚片と、この嵌合脚片の基部から両側に延在される可撓性を有する目隠し翼片とを具備してなる、ことを特徴とする内装パネル構造。
【請求項４】
請求項１記載の内装パネル構造において、
上記固定部材は、パネルの端部を載置固定する水平片と、この水平片の下面に開口する嵌合溝とを具備し、
上記縁部材は、上記固定部材の嵌合溝内に係脱可能に嵌挿される嵌合脚片と、この嵌合脚片の基部から両側に延在される水平目隠し翼片とを具備してなる、ことを特徴とする内装パネル構造。
【請求項５】
請求項１ないし４のいずれかに記載の内装パネル構造における表面装飾材の交換方法であって、
固定部材及び接合部材から縁部材を取り外し、パネル本体に貼着された表面装飾材の四辺端部をカッターで切断した後、パネル本体から表面装飾材を剥離除去し、パネル本体表面に新規の表面装飾材を貼着した後、上記固定部材及び接合部材に縁部材を装着する、ことを特徴とする内装パネルにおける表面装飾材の交換方法。
【請求項６】
請求項５記載の内装パネルにおける表面装飾材の交換方法において、
上記固定部材のエッジ部に沿ってカッターを移動することによって表面装飾材の端部を切断し、隣接するパネルの一方の接合端部に沿ってカッターを移動することによって隣接する他方のパネルの表面装飾材の端部を切断する、ことを特徴とする内装パネルにおける表面装飾材の交換方法。
【発明の詳細な説明】
【技術分野】
【０００１】
この発明は、例えば壁，天井又は間仕切り等を構成する表面装飾材を貼着した内装パネル構造及び内装パネルにおける表面装飾材の交換方法に関するものである。
【背景技術】
【０００２】
一般に、例えば壁，天井又は間仕切り等を構成する内装パネルとして、一対の鋼板製の表面板間に発泡断熱材を充填したサンドイッチパネルが使用されている。また、部屋の雰囲気を変えるために、パネル本体の表面に、例えば布や合成樹脂製の表面装飾材を貼着した内装パネルが広く使用されている。
【０００３】
従来、表面装飾材を貼着したパネルには、パネル本体の表面に表面装飾材を上部、下部及び側部の各固定部材により取り付け、固定部材を取り外すことによって装飾材を交換する構造が知られている（例えば、特許文献1参照）。
【特許文献１】特開平４−３００５５号公報（特許請求の範囲、第１図）  また、複数のパネルを連接して壁，天井や間仕切り等を構成する場合においては、パネルの目地部にパテを埋め込んで一様に平滑な平面にした上で、表面装飾材を接着剤によって貼着している。
【発明の開示】
【発明が解決しようとする課題】
【０００４】
しかしながら、前者すなわち特開平４−３００５５号公報に記載の構造のものは、パネル本体と固定部材を解体する必要があり、表面装飾材の交換が大掛かりとなる。しかも、特別な表面装飾材が必要なため、交換時には、交換用の表面装飾材を新たに製作する必要があり、コストが嵩むという問題があった。
【０００５】
また、後者すなわち現場においてパネル本体に表面装飾材を貼着する構造のものは、最初の表面装飾材を貼着する時点で目地処理を行う必要があるため、作業が煩雑になるという問題があった。また、パネルを間仕切り（パーティション）に使用した場合には、本来、解体移設は容易であるパーティションパネルの利点が損なわれるという問題もあった。
【０００６】
この発明は、上記事情に鑑みてなされたもので、既設の内装パネルを解体することなく、表面装飾材を容易に交換可能とした内装パネル構造及び内装パネルにおける表面装飾材のみを交換方法を提供することを目的とするものである。
【課題を解決するための手段】
【０００７】
上記課題を解決するために、請求項１記載の発明は、パネル本体の表面に表面装飾材を貼着してなる複数のパネルを、躯体に連結される互いに平行な一対の固定部材に取り付けると共に、接合部材を介して連接して、壁，天井又は間仕切り等を構成する内装パネル構造において、上記パネルの少なくとも三辺における上記固定部材及び接合部材に、パネルの辺部を覆う縁部材を着脱可能に装着してなり、上記縁部材を、上記固定部材及び接合部材から取り外した状態で、上記表面装飾材のみを交換を可能にし、表面装飾材を交換した後、縁部材を固定部材及び接合部材に装着して表面装飾材の端部を外部から目隠しする、ことを特徴とする。
【０００８】
この発明の内装パネル構造において、上記固定部材と縁部材とは着脱可能に装着されるものであれば、その装着（係合）形態は任意でよいが、好ましくは、上記固定部材は、パネルの上端部を嵌挿保持するパネル取付溝と、外側方に向かって突出する１又は複数の係止受け片とを具備し、上記縁部材は、パネルの外側面に接触又は近接する目隠し片を有する縁部材本体と、この縁部材本体に突設されて上記係止受け片に係脱可能に係合する１又は複数の係止片とを具備してなる方がよい（請求項２）。また、上記固定部材は、パネルの端部を載置固定する水平片と、この水平片の下面に開口する嵌合溝とを具備し、上記縁部材は、上記固定部材の嵌合溝内に係脱可能に嵌挿される嵌合脚片と、この嵌合脚片の基部から両側に延在される水平目隠し翼片とを具備するようにしてもよい（請求項４）。
【０００９】
また、上記接合部材と縁部材とは着脱可能に装着されるものであれば、その装着（係合）形態は任意でよいが、好ましくは、上記接合部材は、パネルの接合端面に設けられた凹条内に嵌挿される一対の接合部と、両接合部間から外方へ隆起すると共に、外方に向かって開口する嵌合溝を有する嵌合部とを具備し、上記縁部材は、上記接合部材の嵌合溝内に係脱可能に嵌挿される嵌合脚片と、この嵌合脚片の基部から両側に延在される可撓性を有する目隠し翼片とを具備してなる方が好ましい（請求項３）。
【００１０】
請求項５記載の発明は、請求項１ないし４のいずれかに記載の内装パネル構造における表面装飾材の交換方法であって、固定部材及び接合部材から縁部材を取り外し、パネル本体に貼着された表面装飾材の四辺端部をカッターで切断した後、パネル本体から表面装飾材を剥離除去し、パネル本体表面に新規の表面装飾材を貼着した後、上記固定部材及び接合部材に縁部材装着する、ことを特徴とする。
【００１１】
この発明の内装パネルにおける表面装飾材の交換方法において、上記パネル本体に貼着された表面装飾材をカッターで切断する場合、上記固定部材のエッジ部に沿ってカッターを移動することによって表面装飾材の端部を切断し、隣接するパネルの一方の接合端部に沿ってカッターを移動することによって隣接する他方のパネルの表面装飾材の端部を切断する方がよい（請求項６）。
【発明の効果】
【００１２】
この発明によれば、上記のように構成されているので、以下のような効果が得られる。
【００１３】
（１）請求項１，４記載の発明によれば、パネルを取り付ける固定部材及び接合部材から縁部材を取り外し、パネル本体に貼着された表面装飾材の四辺端部をカッターで切断した後、パネル本体から表面装飾材を剥離除去し、パネル本体表面に新規の表面装飾材を貼着した後、固定部材及び接合部材に縁部材装着することによって、表面装飾材の交換を行うことができるので、既設のパネルを分解することなく表面装飾材のみを交換することができる。したがって、内装パネルの模様替えの作業を容易にすることができると共に、パネル全体を交換する場合に比べて資材の有効利用を図ることができる。また、貼着された新規の表面装飾材の辺部は縁部材によって外部から目隠しされるので、美観の向上が図れる。
【００１４】
（２）請求項２記載の発明によれば、固定部材は、パネルの上端部を嵌挿保持するパネル取付溝と、外側方に向かって突出する１又は複数の係止受け片とを具備し、縁部材は、パネルの外側面に接触又は近接する目隠し片を有する縁部材本体と、この縁部材本体に突設されて係止受け片に係脱可能に係合する１又は複数の係止片とを具備してなるので、固定部材に対する縁部材の着脱を容易にすることができると共に、装着状態を確実にすることができる。
【００１５】
（３）請求項３記載の発明によれば、接合部材は、パネルの接合端面に設けられた凹条内に嵌挿される一対の接合部と、両接合部間から外方へ隆起すると共に、外方に向かって開口する嵌合溝を有する嵌合部とを具備し、縁部材は、接合部材の嵌合溝内に係脱可能に嵌挿される嵌合脚片と、この嵌合脚片の基部から両側に延在される可撓性を有する目隠し翼片とを具備してなるので、接合部材に対する縁部材の着脱を容易にすることができると共に、装着状態を確実にすることができ、かつ、目地部の美観の向上を図ることができる。
【００１６】
（４）請求項４記載の発明によれば、固定部材は、パネルの端部を載置固定する水平片と、この水平片の下面に開口する嵌合溝とを具備し、縁部材は、固定部材の嵌合溝内に係脱可能に嵌挿される嵌合脚片と、この嵌合脚片の基部から両側に延在される水平目隠し翼片とを具備してなるので、固定部材に対する縁部材の着脱を容易にすることができると共に、装着状態を確実にすることができる。
【００１７】
（５）請求項５記載の発明によれば、固定部材のエッジ部に沿ってカッターを移動することによって表面装飾材の端部を切断し、隣接するパネルの一方の接合端部に沿ってカッターを移動することによって隣接する他方のパネルの表面装飾材の端部を切断するので、表面装飾材の切断を容易にすることができると共に、正確にすることができる。
【発明を実施するための最良の形態】
【００１８】
以下に、この発明の最良の実施形態を添付図面に基づいて詳細に説明する。
【００１９】
＜第１実施形態＞
図１は、この発明に係る内装パネル構造を間仕切り１（以下に、パーティション１という）に適用した場合の分解斜視図、図２は、パーティション１の組立状態を示す斜視図、図３は、パーティション１の縦断面図、図４は、パーティション１の横断面図である。
【００２０】
上記パーティション１は、躯体例えば天井部２又は床部３に連結される互いに平行な一対の固定部材である上部固定部材２０及び下部固定部材３０と、これら上部固定部材２０と下部固定部材３０に取り付けられる複数の表面装飾材４０を貼着したパネル１０と、パネル１０同士を連接する接合部材５０と、上部固定部材２０に着脱可能に装着（係合）されてパネル１０の上辺部を覆う縁部材である見切り材６０と、接合部材５０に着脱可能に装着(嵌合)されてパネル１０の側辺部を覆う縁部材である目地化粧材７０とで主に構成されている。
【００２１】
上記パネル１０は、後述するパネル本体１１と、このパネル本体１１の表面に貼着される例えば布製あるいは塩化ビニル製のシート状の表面装飾材４０（以下に、表装材４０という）とで構成されている。
【００２２】
上記パネル本体１１は、一対の例えば鋼板やアルミニウム板等の金属製の表面板１２と、表面板１２間の四辺に配置される例えば塩化ビニル等の合成樹脂製の部材にて形成される凹条１３を有する枠材１４と、表面板１２と枠材１４とで形成される空間内に充填される例えば発泡ポリウレタン等の断熱性心材１５とで構成されている。この場合、表面板１２の縁部に折曲された折曲片１６が枠材１４に設けられた取付溝１７内に嵌合されている。なお、凹条１３の底部中央位置には開口側に向かって起立する起立片１３ａが設けられている。また、表装材４０は、パネル本体１１の表面板１２の表面に接着剤（図示せず）を介して貼着されると共に、パネル本体１１の枠材１４側に向かって折曲されている。
【００２３】
上部固定部材２０は、アルミニウム合金製の押出形材にて形成されている。この上部固定部材２０は、水平基片２１の下面に一対の垂下片２２を垂下して下方に開口するパネル取付溝２３が形成されると共に、水平基片２１の先端側下面に略Ｌ字状に突設される第１の係止受け片２４及び垂下片２２の外側面に略Ｌ字条に突設される第２の係止受け片２５が形成されている。このように形成される上部固定部材２０は、水平基片２１を貫通する固定ねじ２６を天井部２に螺着することで、天井部２に固定(連結)される。
【００２４】
下部固定部材３０は、それぞれ鋼板曲材にて形成される下部レール３１と補助レール３２とで構成されており、下部レール３１と補助レール３２は連結ねじ３３によって連結されている。この場合、下部レール３１は、上方に開口する凹溝３４を具備しており、凹溝３４を構成する一方の垂直片３５ａが他方の垂直片３５ｂより高く形成されている。この下部レール３１は、凹溝３４の底部を貫通するセルフタップアンカ３６を床部３に螺合することによって床部３に固定される。また、補助レール３２は、下部レール３１の高さと略同じ高さの垂直基部３７の下部側に水平方向に伸びる凹条３８を有する断面略ハット状に形成されている。このように形成される下部レール３１と補助レール３２は、補助レール３２の凹条３８を貫通する連結ねじ３３を下部レール３１の他方の垂直片３５ｂに螺合することによって連結されて、パネル取付溝３９を形成している。なお、凹条３８には帯状部材８０が嵌合されて、連結ねじ３３の頭部３３ａが外部から目隠しされるようになっている(図３参照)。
【００２５】
上記見切り材６０は、例えば塩化ビニル製部材にて形成されており、図３及び図５に示すように、パネル１０の外側面に接触又は近接する目隠し片６１を有する縁部材本体６２と、この縁部材本体６２に突設されて第１の係止受け片２４及び第２の係止受け片２５にそれぞれ弾性変形によって係脱可能に係合する略Ｌ字状の第１の係止片６３及び第２の係止片６４を具備してなる。
【００２６】
上記接合部材５０は、例えばアルミニウム合金製あるいは合成樹脂製の中空部材にて形成されている。この接合部材５０は、パネル１０の接合端面に設けられた凹条１３内に嵌挿される一対の先端に向かって狭小テーパ状の接合部５１と、両接合部５１間から外方へ隆起すると共に、外方に向かって開口する嵌合溝５２を有する一対の嵌合部５３とを具備している。この嵌合部５３により、接合されるパネル１０間に隙間Ｓが形成されている。この場合、嵌合溝５２の対向する側面には、内方側に向かって隆起する断面略三角形状の係止突条５４が設けられている(図６参照)。なお、接合部５１の先端面には、パネル１０の枠材１４に設けられた起立片１３ａと係合可能な凹溝５５が設けられている（図４参照）。
【００２７】
上記目地化粧材７０は、上記接合部材５０の嵌合溝５２内に係脱可能に嵌挿される嵌合脚片７１と、この嵌合脚片７１の基部から両側に延在されてパネル１０の外面に接触する可撓性を有する目隠し翼片７２とを具備している。この場合、嵌合脚片７１の先端は、断面略三角形状に形成されると共に、先端部の対向する両側面には、接合部材５０の嵌合溝５２に設けられた係止突条５４と係合する係合段部７３が設けられている(図６参照)。この目地化粧材７０は、例えば塩化ビニル等の合成樹脂製部材にて形成されており、嵌合脚片７１が硬質に形成され、目隠し翼片７２が軟質に形成されている。
【００２８】
上記のように構成されるパーティション１を組み立てるには、まず、上部固定部材２０を固定ねじ２６によって天井部２に固定（連結）すると共に、下部固定部材３０を構成する下部レール３１をセルフタップアンカ３６によって床部３に固定する。次に、パネル１０の上端部を上部固定部材２０のパネル取付溝２３内に嵌挿すると共に、パネル１０の下端部を下部レール３１の凹溝３４内に配設された例えば塩化ビニル製のライナ８１の上に載置して１枚目のパネル１０を垂直状にセットする。
【００２９】
次に、同様にして２枚目のパネル１０を垂直状にセットすると共に、１枚目のパネル１０と２枚目のパネル１０の接合端部に設けられた凹条１３内に接合部材５０の接合部５１を嵌挿して両パネル１０を隙間Ｓを空けて連接する。以後、同様にして３枚目以降のパネル１０を連接して、所定の幅にパネル１０を連接する。
【００３０】
上記のようにして連接されたパネル１０の上端部は、上部固定部材２０のパネル取付溝２３の一方の垂下片２２を貫通するパネル固定ねじ２７が螺合されて固定保持される。一方、パネル１０の下端部は、下部レール３１の垂直片３５ｂに当接される補助レール３２の凹条３８を貫通する連結ねじ３３を下部レール３１の垂直片３５ｂに螺合することによって形成されるパネル取付溝３９内に嵌挿される。このようにして、複数のパネル１０が連接した状態で、上部固定部材２０と下部固定部材３０間に取り付けられる。なお、凹条３８には帯状部材８０が嵌合されて、連結ねじ３３の頭部３３ａが外部から目隠しされる。
【００３１】
上記のようにして複数のパネル１０を取り付けた後、見切り材６０の第１の係止片６３及び第２の係止片６４を、見切り材６０の縁部材本体６２に突設された第１の係止受け片２４及び第２の係止受け片２５にそれぞれ係合して見切り材６０を装着する。また、目地化粧材７０の嵌合脚片７１を、接合部材５０の嵌合溝５２内に嵌挿（圧入）すると、嵌合脚片７１が若干変形して係合段部７３が接合部材５０の嵌合溝５２に設けられた係止突条５４に係合するので、目地化粧材７０は接合部材５０に強固に装着され、目隠し翼片７２によってパネル１０の目地部が塞がれる。
【００３２】
したがって、パネル１０の三辺部、すなわち、上端辺部及び両側辺部は、見切り材６０及び目地化粧材７０によって覆われる。
【００３３】
次に、表装材４０の交換方法について、図７ないし図１０を参照して説明する。まず、図７に示すように、上部固定部材２０に装着されている見切り材６０を取り外す。次に、図８に示すように、接合部材５０に装着されている目地化粧材７０を取り外す。次に、図９の（Ｉ）に示すように、上部固定部材２０の下端すなわち表装材４０の上端辺部をカッターＣで切断する。この際、カッターＣを上部固定部材２０の下端のエッジ部に沿わせて移動させながら表装材４０を切断することにより、表装材４０の上端辺部を直線状に正確に切断することができる。表装材４０の上端辺部を切断した後、図９の（II）及び図１０に示すように、目地部の隙間ＳにカッターＣを入れて表装材４０の側端辺部を切断する。この際、カッターＣを隣接するパネル１０の一方の接合端部に沿って移動することによって隣接する他方のパネル１０の表装材４０の側端辺部を直線状に正確に切断することができる。同様にして対向する反対側の表装材４０の側端辺部を切断することができる。次に、図９の（III）に示すように、下部固定部材３０の上端部すなわち表装材４０の下端辺部をカッターＣで切断する。この際、カッターＣを下部固定部材３０（補助レール３２）の上端のエッジ部に沿わせて移動させながら表装材４０を切断することにより、表装材４０の下端辺部を直線状に正確に切断することができる。上記のようにして、表装材４０の上端辺部、側端辺部及び下端辺部を切断した後、図９の（IV）及び図１０に示すように、上部固定部材２０の下端とパネル１０との境部より表装材４０を剥離して表装材４０を除去する。なお、上記説明では、表装材４０の上端辺部、側辺部及び下端辺部の順に切断する場合について説明したが、切断の順番は必ずしも上述の通りである必要はなく、任意に切断してもよい。
【００３４】
上記のようにして、表装材４０を剥離除去した後、新規の表装材４０を接着剤（図示せず）によってパネル１０の表面に貼着すると共に、表装材４０の三辺部を枠材１４の端面側に折曲する。なお、この際、表装材４０の下端辺部は下部固定部材３０の上端に接触させるようにして表装材４０を貼着する。パネル１０の表面に新規の表装材４０を貼着した後、接合部材５０の嵌合溝５２内に目地化粧材７０の嵌合脚片７１を嵌挿して目地化粧材７０を装着する。次いで、見切り材６０の第１及び第２の係止片６３，６４をそれぞれ上部固定部材２０の第１及び第２の係止受け片２４，２５に係合させて、見切り材６０を装着して、表装材４０の交換作業を終了する。
【００３５】
上記のように、既設の表装材４０を剥離除去した後、新規の表装材４０を貼着して、パネル１０の目地部の接合部材５０に目地化粧材７０を装着し、上部固定部材２０に見切り材６０を装着することにより、既設のパーティション１を解体することなく、表装材４０のみを交換することができる。また、新規の表装材４０の辺部（具体的には、上端辺部、両側端辺部）が見切り材６０及び目地化粧材７０によって覆われるので、表装材４０が不用意に剥がれる恐れがない。また、表装材４０の三辺部が外部から目隠しされるので、パーティション１の美観の向上が図れる。
【００３６】
なお、上記説明では、上部固定部材２０と見切り材６０の係合部が、第１及び第２の係止受け片２４，２５と、第１及び第２の係止片６３，６４の二箇所である場合について説明したが、係止受け片と係止片は一箇所であってもよく、あるいは、三箇所以上であってもよい。
【００３７】
＜第２実施形態＞
図１１は、この発明に係る内装パネル構造を天井パネル１０Ａ及び壁パネル１０Ｂに適用した場合の概略断面図、図１２は、上記天井パネル１０Ａの取付状態を示す拡大断面図、図１３は、図１２の縦断面図である。
【００３８】
上記天井パネル１０Ａ及び壁パネル１０Ｂは、上記パーティション１のパネル１０と同様に形成されているので、同一部分に同一符号を付して説明は省略する。
【００３９】
上記天井パネル１０Ａは、躯体である梁４に連結金具５を介して連結される上部固定部材２０に一端部が載置されると共に、アルミニウム合金製の押出形材にて形成される断面略逆Ｔ字状の天井レール６にて形成される固定部材（以下に天井レール６という）の水平片７上に他端部が載置され、天井レール６に係合して垂下される天井パネル押え金具８に固定ねじ９をもって固定されている（図１３参照）。この場合、天井レール６の水平片７の下面中央部には、下方に向かって開口する嵌合溝５２Ａが設けられており、この嵌合溝５２Ａに縁部材である押え縁材９０の嵌合脚片９１が着脱可能に嵌挿されるようになっている。なお、押え縁材９０は、例えば塩化ビニル製部材にて形成されており、隣接する天井パネル１０Ａの辺部を覆う水平目隠し翼片９２と、水平目隠し翼片９２の一側面の中央部から起立する嵌合脚片９１とで形成されている。
【００４０】
また、天井レール６に沿う方向の天井パネル１０Ａ同士の接合は上記パーティション１と同様に接合部材５０を介して接合されると共に、接合部材５０に着脱可能に装着される目地化粧材７０によって、目地部が目隠しされている。なお、接合部材５０及び目地化粧材７０の構造は、上記パーティション１の場合と同様であるので、同一部分には同一符号を付して、説明は省略する。
【００４１】
なお、壁パネル１０Ｂは、上記パーティション１と同様に、上部固定部材２０と下部固定部材３０に取り付けられると共に、接合部材５０によって連接されている。
【００４２】
上記のように構成される天井パネル１０Ａにおいても、上記パーティション１と同様に、パネル本体１１の表面に表装材４０が貼着されている。表装材４０を交換するには、上記パーティション１の場合と同様に行いことができ、以下のような手順で、表装材４０の交換を行うことができる。
【００４３】
すなわち、
（１）上部固定部材２０に装着されている見切り材６０を取り外すと共に、天井レール６に装着されている押え縁材９０を取り外す。
【００４４】
（２）接合部材に装着されている目地化粧材７０を取り外す。
【００４５】
（３）上部固定部材２０のエッジ部に沿わせてカッターを移動させて表装材４０の一側辺部を切断し、天井レール６の水平片７のエッジ部に沿わせてカッターを移動させて表装材４０の他側辺部を切断し、隣接する天井パネル１０Ａの一方の接合端部に沿ってカッターを移動させて隣接する他方の天井パネル１０Ａの表装材４０の側端辺部を切断して、表装材４０の四辺部を切断する。
【００４６】
（４）切断された表装材４０の角部から表装材４０を剥がして、表装材４０を剥離除去する。
【００４７】
（５）表装材４０を剥離除去した後、新規の表装材４０を接着剤（図示せず）によって天井パネル１０Ａの表面に貼着すると共に、表装材４０の辺部を枠材１４の端面側に折曲する。
【００４８】
（６）パネル１０の表面に新規の表装材４０を貼着した後、接合部材５０の嵌合溝５２内に目地化粧材７０の嵌合脚片７１を嵌挿して目地化粧材７０を装着する。次いで、見切り材６０の第１及び第２の係止片６３，６４をそれぞれ上部固定部材２０の第１及び第２の係止受け片２４，２５に係合させて、見切り材６０を装着すると共に、押え縁材９０の嵌合脚片７１Ａを天井レール６の嵌合溝５２Ａ内に嵌挿して、押え縁材９０を装着して、表装材４０の交換作業を終了する。
【００４９】
したがって、天井パネル１０Ａの四辺部は、見切り材６０、目地化粧材７０及び押え縁材９０によって覆われるので、天井パネル１０Ａに貼着された表装材４０が不用意に剥がれる恐れがない。また、天井パネル１０Ａの四辺部が外部から目隠しされるので、天井面の美観の向上が図れる。
【００５０】
なお、壁パネル１０Ｂの表装材４０の交換は、上記パーティション１の場合と同様に行うことができる。すなわち、まず、上部固定部材２０から見切り材６０を取り外した後、接合部材５０から目地化粧材７０を取り外す。次に、カッターＣをもって表装材４０の四辺端部を切断した後、表装材４０をパネル本体１１から剥離して除去する。次に、パネル本体１１の表面に新規の表装材４０を貼着した後、接合部材５０に目地化粧材７０を装着すると共に、上部固定部材２０に見切り材６０を装着して交換作業を終了する。
【００５１】
なお、上記実施形態では、パネル１０（天井パネル１０Ａ）が一対の表面板１２と枠材１４及び断熱性心材１５とで構成されるサンドイッチパネルである場合について説明したが、パネル１０（天井パネル１０Ａ）は必ずしもサンドイッチパネルである必要はなく、表面に表装材４０が貼着されていれば、任意の構造であってもよい。
【図面の簡単な説明】
【００５２】
【図１】この発明に係る内装パネルをパーティションに適用した第１実施形態の分解斜視図である。
【図２】上記パーティションの組立状態の一部を断面で示す斜視図である。
【図３】上記パーティションの縦断面図である。
【図４】上記パーティションの横断面図である。
【図５】この発明における見切り材（縁部材）の斜視図である。
【図６】この発明における接合部材と目地化粧材（縁部材）との嵌合状態を示す断面図（ａ）及び（ａ）のＡ部拡大断面図（ｂ）である。
【図７】見切り材の取外し状態を示す斜視図である。
【図８】目地化粧材の取外し状態を示す斜視図である。
【図９】表面装飾材を切断する手順を示す斜視図である。
【図１０】表面装飾材を剥離除去する状態を示す斜視図である。
【図１１】内装パネルを壁と天井パネルに適用した第２実施形態を示す断面図である。
【図１２】第２実施形態の要部を示す断面図である。
【図１３】図１２の縦断面図である。
【図１４】図１３の要部拡大断面図である。
【符号の説明】
【００５３】
１  パーティション（間仕切り）
２  天井部
３  床部
６  天井レール（固定部材）
７  水平片
１０  パネル
１０Ａ  天井パネル
１０Ｂ  壁パネル
１１  パネル本体
１３  凹条
２０  上部固定部材
２３  パネル取付溝
２４  第１の係止受け片
２５  第２の係止受け片
３０  下部固定部材
３９  パネル取付溝
４０  表装材（表面装飾材）
５０  接合部材
５１  接合部
５２，５２Ａ  嵌合溝
５３  嵌合部
６０  見切り材（縁部材）
６１  目隠し片
６２  縁部材本体
６３  第１の係止片
６４  第２の係止片
７０  目地化粧材（縁部材）
７１  嵌合脚片
７２  目隠し翼片
９０  押え縁材（縁部材）
９１  嵌合脚片
９２  水平目隠し翼片
【図１】
2005036486.tif 000003
【図２】
2005036486.tif 000004
【図３】
2005036486.tif 000005
【図４】
2005036486.tif 000006
【図５】
2005036486.tif 000007
【図６】
2005036486.tif 000008
【図７】
2005036486.tif 000009
【図８】
2005036486.tif 000010
【図９】
2005036486.tif 000011
【図１０】
2005036486.tif 000012
【図１１】
2005036486.tif 000013
【図１２】
2005036486.tif 000014
【図１３】
2005036486.tif 000015
【図１４】
2005036486.tif 000016